(57)【要約】【課題】  本発明はメンテナンス作業を安全に行なうことができるとともに、地震で目地部が狭くなっても損傷したり、目地部側外壁面にキズを付けたりするのを効率よく阻止することができるメンテナンス用ステップ装置を得るにある。【解決手段】  左右の建物の一方の建物の目地部側外壁面に先端部が上方へ回動できるように後端部がヒンジ部材で取付けられたステップ板と、このステップ板をほぼ水平状態を保つようにヒンジ部材の下部位置の外壁面に固定されたストッパーと、ステップ板の先端部を支持する他方の建物の目地部側外壁面に固定された支持台と、ステップ板の先端部に設けられた支持台に支持されるとともに、目地部が狭くなると他方の建物の外壁面と接触して転動するローラーと、支持台の先端部と当接するステップ板の先端部寄りの部位に形成された目地部が狭くなると、該ステップ板の先端部を上方へガイドするガイド部とでメンテナンス用ステップ装置を構成している。【選択図】  図２
2010248688.tif 000002
【特許請求の範囲】
【請求項１】
目地部を介して設けられた左右の建物の一方の建物の目地部側外壁面に先端部が上方へ回動できるように後端部がヒンジ部材で取付けられたステップ板と、このステップ板をほぼ水平状態を保つように前記ヒンジ部材の下部位置の外壁面に固定されたストッパーと、前記ステップ板の先端部を支持する前記左右の建物の他方の建物の目地部側外壁面に固定された目地部側へわずかに突出する支持台あるいは目地部の幅寸法のほぼ２倍の幅寸法を有するように目地部側へ突出する支持台と、この支持台の先端部あるいは中央部と当接する前記ステップ板の先端部寄りの部位に形成された目地部が狭くなると、該ステップ板の先端部を上方へガイドするガイド部とからなることを特徴とするメンテナンス用ステップ装置。
【請求項２】
支持台の先端部とステップ板のガイド部とは同じ傾斜面となるように形成されるとともに、ステップ板の先端部に支持台および目地部が狭くなると他方の建物の外壁面と接触するローラが設けられ、支持台の先端部の上面はローラーが乗り越えられるような突起部が形成されていることを特徴とする請求項１記載のメンテナンス用ステップ装置。
【請求項３】
ステップ板は板状のステップ板本体と、このステップ板本他の底面に固定された支持台の先端部の高さ寸法よりも２倍の高さ寸法となるガイド部を備える底板、あるいは複数個のリブとで構成されていることを特徴とする請求項１記載のメンテナンス用ステップ装置。
【発明の詳細な説明】
【技術分野】
【０００１】
本発明は主にメンテナンス時に使用される左右の建物間の目地部を覆うように取付けられたメンテナンス用ステップ装置に関する。
【背景技術】
【０００２】
従来、左右の建物間の目地部の外壁面にメンテナンス用のステップ板を設けることが考えられている。
しかしながら、目地部の外壁面にステップ板を固定すると、地震時の左右の建物の揺れ動き量が小さくなったり、ステップ板を損傷させてしまうという欠点があった。
また、上記の欠点を解消するために、小さなステップ板を設けることも考えられるが、メンテナンス作業が危険になるという欠点があった。
【先行技術文献】
【特許文献】
【０００３】
【特許文献１】特になし
【発明の概要】
【発明が解決しようとする課題】
【０００４】
本発明は以上のような従来の欠点に鑑み、メンテナンス作業を安全に行なうことができるとともに、地震で目地部が狭くなっても損傷したり、目地部側外壁面にキズを付けたりするのを効率よく阻止することができるメンテナンス用ステップ装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の一方の建物の目地部側外壁面に先端部が上方へ回動できるように後端部がヒンジ部材で取付けられたステップ板と、このステップ板をほぼ水平状態を保つように前記ヒンジ部材の下部位置の外壁面に固定されたストッパーと、前記ステップ板の先端部を支持する前記左右の建物の他方の建物の目地部側外壁面に固定された目地部側へわずかに突出する支持台あるいは目地部の幅寸法のほぼ２倍の幅寸法を有するように目地部側へ突出する支持台と、この支持台の先端部あるいは中央部と当接する前記ステップ板の先端部寄りの部位に形成された目地部が狭くなると、該ステップ板の先端部を上方へガイドするガイド部とでメンテナンス用ステップ装置を構成している。
【発明の効果】
【０００７】
以上の説明から明らかなように、本発明にあっては次に列挙する効果が得られる。
【０００８】
（１）左右の建物間の目地部を、一端部が一方の建物の目地部側外壁面にヒンジ部材を介して取付けられ、他端部が他方の建物の目地部側外壁面に固定された支持台に支持されたステップ板を用いているので、該ステップ板は目地部全体を覆った状態となっており、メンテナンス時にステップ板上で安全に作業することができる。
【０００９】
（２）地震で目地部が狭くなるように左右の建物が揺れ動いた場合、ステップ板の先端部のガイド部が、支持台を押し圧する状態となって上方へ回動してその揺れ動きを吸収することができる。
【００１０】
（３）地震により目地部が広くなるように左右の建物が揺れ動いた場合、ステップ板はストッパーによって、ほぼ水平状態で支持台より離れて、その揺れ動きを吸収するとともに、揺れ動きが停止すると、自動的にステップ板の先端部は支持台に支持された状態となる。
【００１１】
（４）請求項２も前記（１）〜（３）と同様な効果が得られるとともに、支持台の上面の傾斜面によって、ステップ板の先端部を安全に支持台に支持させることができるとともに、ローラによって、地震で目地部が狭くなると他方の建物の外壁面と接触して、外壁面を損傷することなく上方へステップ板をガイドして、損傷なし、その揺れ動きを吸収することができる。
【００１２】
（５）請求項３も前記（１）〜（３）と同様な効果が得られるとともに、目地部が狭くなる場合に、よりスムーズにステップ板を回動方向に移動させることができる。
【図面の簡単な説明】
【００１３】
【図１】本発明を実施するための第１の形態の平面図。
【図２】図１の２−２線に沿う断面図。
【図３】図１の３−３線に沿う断面図。
【図４】本発明を実施するための第１の形態のステップ板の説明図。
【図５】本発明を実施するための第１の形態の支持台の説明図。
【図６】本発明を実施するための第１の形態の目地部が狭くなり始めの動作説明図。
【図７】本発明を実施するための第１の形態の目地部が非常に狭くなる動作説明図。
【図８】本発明を実施するための第１の形態の目地部が広くなる動作説明図。
【図９】本発明を実施するための第２の形態の平面図。
【図１０】図９の１０−１０線に沿う断面図。
【図１１】本発明を実施するための第２の形態のステップ板の説明図。
【図１２】本発明を実施するための第３の形態の平面図。
【図１３】図１２の１３−１３線に沿う断面図。
【図１４】本発明を実施するための第３の形態のステップ板の説明図。
【図１５】本発明を実施するための第３の形態の目地部が狭くなった動作説明図。
【図１６】本発明を実施するための第4の形態の平面図。
【図１７】図１６の１７−１７線に沿う断面図。
【図１８】本発明を実施するための第４の形態の目地部が狭くなった動作説明図。
【発明を実施するための形態】
【００１４】
以下、図面に示す本発明を実施するための形態により、本発明を詳細に説明する。
【００１５】
図１ないし図８に示す本発明を実施するための第１の形態において、１は目地部２を介して設けられた左右の建物３、３間の目地部２を覆うように取付けられた、主にメンテナンス時に使用される本発明のメンテナンス用ステップ装置で、このメンテナンス用ステップ装置１は前記左右の建物３、３の一方の建物３の目地部側外壁面３ａに先端部が上方へ回動できるように後端部がヒンジ部材４で取付けられたステップ板５と、このステップ板５をほぼ水平状態を保つように、前記ヒンジ部材４の下部位置の外壁面３ａに複数本のタッピングビス６で固定されたストッパー７と、前記ステップ板５の先端部を支持する前記左右の建物３、３の他方の建物３の目地部側外壁面３ａに固定された目地部側へわずかに突出する支持台８と、前記ステップ板５の先端部に設けられた前記支持台８に支持されるとともに、地震により目地部２が狭くなると他方の建物３の外壁面３ａと接触して転動するローラー９と、前記支持台８の先端部と当接する前記ステップ板５の先端部寄りの部位に形成された目地部が狭くなると該ステップ板５の先端部を上方へガイドするガイド部１０とで構成されている。
【００１６】
前記ステップ板５は図４に示すように、金属材製のステップ板本体１１と、このステップ板本体１１の先端部を除く底面に、先端部に傾斜面のガイド部１０が形成された皿状の底板１２とで構成されている。
【００１７】
前記支持台８は図５に示すように、他方の建物３の目地部側外壁面３ａに複数本のタッピングビス１３で固定されるほぼ三角形状の支持台本体１４と、この支持台本体１４の先端部に上方へ突出するように一体形成された、前記ステップ板５の皿状の底板１２のガイド部１０の傾斜面と同じ傾斜面で、かつガイド部１０の寸法よりもほぼ半分ぐらいの寸法の当接部１５および、ローラー９が乗り越えられるように上方へ突出する突起部１６とで構成されている。
【００１８】
上記構成のメンテナンス用ステップ装置１は図１および図２に示すように、通常時は左右の建物３、３間の目地部２は先端部が支持台８に支持されたステップ板５によって覆われた状態となっている。
このため、ステップ板５に乗っての左右の建物３、３の目地部側の外壁面３ａ、３ａのメンテナンス作業を安全に行なうことができる。
【００１９】
地震で目地部２が狭くなるように左右の建物３、３が揺れ動いた場合、始めは図６に示すようにステップ板５の先端部のガイド部１０が支持台８の当接部１５に当接し、上方へガイドされるようにスライド移動し、ステップ板５を回動させた後、ローラー９が他方の建物３の目地部側外壁面３ａと当接する。
さらに目地部２が狭くなると、図７に示すようにステップ板５は先端部が上方に位置する回動した状態となっているので、ローラー９が外壁面３ａ上を上方へ転動した後、外壁面３ａとガイド部１０が接触して、ステップ板５がほぼ垂直状態となるように回動して、その揺れ動きを吸収する。
揺れ動きが停止すると、ステップ板５はストッパー７によってほぼ水平状態で停止するため、先端部のローラー９は支持台８の上面に支持された元の状態に自動的に戻る。
地震で目地部２が広くなると、図８に示すようにステップ板５の先端部のローラー９が支持台８の突起部１６を乗り越えて離れ、その揺れ動きを吸収する。揺れ動きが停止すると、ステップ板５のローラー９が支持台８の当接部１５に当接し、突起部１６を乗り越えて元の位置へ自動的に戻った状態となる。  
[発明を実施するための異なる形態]
【００２０】
次に、図９ないし図１８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図９ないし図１１に示す本発明を実施するための第２の形態において、前記本発明を実施するための第１の形態と主に異なる点は、ステップ板本体１１の底面に所定間隔で固定された先端部にガイド部１０が形成された複数個のリブ１７とからなるステップ板５Ａを用いた点で、このようなステップ板５Ａを用いて構成したメンテナンス用ステップ装置１Ａにしても、前記本発明を実施するための第１の形態と同様な作用効果が得られるとともに、ステップ板５Ａを安価に製造することができ、コストの低減を図ることができる。
【００２２】
図１２ないし図１５に示す本発明を実施するための第３の形態において、前記本発明を実施するための第１の形態と主に異なる点は、ステップ板５の先端部の傾斜面部位の目地部が狭くなって他方の建物３の目地部側外壁面３ａと当接する部位に複数個のローラー１８を取付けたガイド部１０Ａを形成した点で、このようなガイド部１０Ａにしたステップ板５を用いて構成したメンテナンス用ステップ装置１Ｂにしても、前記本発明を実施するための第１の形態と同様な作用効果が得られるとともに、他方の建物３の目地部側外壁面３ａにはローラー９とガイド部１０Ａのローラー１８しか当接しないため、外壁面３ａの損傷を効率よく阻止することができる。
【００２３】
なお、前記本発明を実施するための各形態ではストッパー７を用いてステップ板５、５Ａをほぼ水平状態に保つものについて説明したが、本発明はこれに限らず、ステップ板５、５Ａの後端部が一方の建物３の目地部側外壁面３ａと当接することにより、ほぼ水平状態を保つようにすることにより、一方の建物３の目地部側外壁面３ａにストッパーとしての機能を持たせたものであってもよい。
【００２４】
図１６ないし図１８に示す本発明を実施するための第４の形態において、前記本発明を実施するための第１の形態と主に異なる点は、他方の建物３の目地部側外壁面３ａに目地部２の幅寸法のほぼ２倍の幅寸法の支持台８Ａを固定するとともに、該支持台８Ａの中央部に先端部ローラーを設けないステップ板５Ｂの先端部を上方へガイドするガイド部１０と当接する当接部１５を形成した点で、このように構成したメンテナンス用ステップ装置１Ｃにしても、ステップ板５Ｂの先端部を他方の建物３の目地部側外壁面３ａに当接することなく、地震の揺れ動きを吸収することができる。
【産業上の利用可能性】
【００２５】
本発明は目地部を介して設けられた左右の建物の目地部間に設けられるメンテナンス用ステップ装置を製造する産業で利用される。
【符号の説明】
【００２６】
１、１Ａ、１Ｂ、１Ｃ：メンテナンス用ステップ装置、
２：目地部、                  ３：建物、
４：ヒンジ部材、              ５、５Ａ：ステップ板、    
６：タッピングビス、          ７：ストッパー、
８、８Ａ：支持台、            ９：ローラー、
１０、１０Ａ：ガイド部、      １１：ステップ板本体、
１２：底板、                  １３：タッピングビス、
１４：支持台本体、            １５：当接部、
１６：突起部、                １７：リブ、
１８：ローラー。
【図１】
2010248688.tif 000003
【図２】
2010248688.tif 000004
【図３】
2010248688.tif 000005
【図４】
2010248688.tif 000006
【図５】
2010248688.tif 000007
【図６】
2010248688.tif 000008
【図７】
2010248688.tif 000009
【図８】
2010248688.tif 000010
【図９】
2010248688.tif 000011
【図１０】
2010248688.tif 000012
【図１１】
2010248688.tif 000013
【図１２】
2010248688.tif 000014
【図１３】
2010248688.tif 000015
【図１４】
2010248688.tif 000016
【図１５】
2010248688.tif 000017
【図１６】
2010248688.tif 000018
【図１７】
2010248688.tif 000019
【図１８】
2010248688.tif 000020